(57)【要約】【課題】  利用者の日常生活に密着して一層充実した健康管理を可能とし、かつ利用者が意識することなく健康管理ができる使い勝手の向上したシステムを提供する。【解決手段】  健康管理システム１を、生体情報取得装置１０Ａ、１０Ｂと、生体情報取得装置から近距離無線通信によるユーザ認証を得、測定されるユーザの生体情報を受信する生体情報管理装置２０と、生体情報管理装置とは通信網５０経由で接続され、生体情報管理装置から送信される生体情報を受信し、加工して健康管理情報を生成し、要求のあった生体情報管理装置に送信する健康管理情報提供装置３０と、により構築した。通信網には更に、健康管理情報仲介装置４０が接続されても良い。【選択図】      図１
2014078279.tif 000002
【特許請求の範囲】
【請求項１】
生体情報取得装置と近距離無線通信経由で接続され、健康管理情報提供装置と通信網経由で接続され、
前記生体情報取得装置から前記近距離無線通信による利用者認証を得て測定される利用者の生体情報を受信するとともに、
前記受信した生体情報を前記通信網経由で前記健康管理情報提供装置に送信し、前記健康管理情報提供装置から、前記生体情報に基づく分析により加工され送信される健康管理情報を受信し、出力する制御手段、
を備え、
前記制御手段は、
前記通信網を介して更に接続される健康管理情報仲介装置から近距離無線通信による利用者認証を得、前記健康管理情報仲介装置が前記健康管理情報提供装置から送信される生体情報を記憶し、前記記憶した生体情報に基づいて生成した健康管理情報を受信し、出力することを特徴とする生体情報管理装置。
【請求項２】
前記制御手段は、
前記健康管理情報仲介装置から近距離無線通信による利用者認証を得、前記健康管理情報提供装置から送信される健康管理情報を前記健康管理情報仲介装置経由で受信し、出力することを特徴とする請求項１記載の生体情報管理装置。
【請求項３】
前記制御手段は、
受信した利用者の現在位置情報から位置測位演算を行い、前記取得した生体情報と関連付け、前記通信網経由で前記健康管理情報提供装置に送信することを特徴とする請求項１または２記載の生体情報管理装置。
【請求項４】
前記制御手段は、
前記健康管理情報提供装置または前記健康管理情報仲介装置から送信される健康管理情報を画面の少なくとも一部に表示する表示情報を生成して出力することを特徴とする請求項１から請求項３のいずれか１項に記載の生体情報管理装置。
【請求項５】
生体情報取得装置と、
前記生体情報取得装置から近距離無線通信によるユーザ認証を得て測定されるユーザの生体情報を受信する生体情報管理装置と、
前記生体情報管理装置と通信網経由で接続され、前記生体情報管理装置から送信される前記生体情報を受信し、加工して健康管理情報を生成し、要求のあった前記生体情報管理装置に送信する健康管理情報提供装置と、
前記健康管理情報提供装置と前記通信網経由で接続され、近距離無線通信による前記生体情報管理装置からの利用者認証成立時、前記健康管理情報提供装置から送信される前記利用者の生体情報を記憶し、前記記憶した利用者の生体情報に基づいて健康管理情報を生成し、前記生体情報管理装置に送信する健康管理情報仲介装置と、
を備えたことを特徴とする生体情報管理装置を用いた健康管理システム。
【請求項６】
前記健康管理情報提供装置と前記通信網経由で接続され、近距離無線通信による前記生体情報管理装置からの利用者認証成立時、前記健康管理情報提供装置から送信される前記利用者の生体情報に基づく健康管理情報を仲介して送信する健康管理情報仲介装置、
を備えたことを特徴とする請求項５記載の生体情報管理装置を用いた健康管理システム。
【請求項７】
生体情報取得装置と、健康管理情報提供装置と、前記生体情報取得装置とは近距離無線通信により接続され、前記健康管理情報提供装置とは通信網経由で接続される生体情報管理装置と、を備えた健康管理システムにおける健康管理情報の閲覧方法であって、
前記生体情報管理装置が、
前記生体情報取得装置から近距離無線通信によるユーザ認証を得て測定される利用者の生体情報を受信する第１のステップと、
前記生体情報管理装置が、
前記受信した生体情報を前記通信網経由で前記健康管理情報提供装置に送信する第２のステップと、
前記健康管理情報提供装置が、
前記生体情報管理装置から受信した生体情報および前記受信した生体情報を分析により加工し、生成される健康管理情報を前記生体情報管理装置または前記通信網を介して更に接続される健康管理情報仲介装置に送信する第３のステップと、
前記生体情報管理装置が、
前記健康管理情報提供装置から送信される健康管理情報を受信して利用者に閲覧させるか、前記健康管理情報仲介装置から近距離無線通信によるユーザ認証を得、前記健康管理情報仲介装置から送信される前記健康管理情報提供装置が生成する健康管理情報を受信して利用者に閲覧させるか、前記通信網を介して更に接続される健康管理情報仲介装置から近距離無線通信によるユーザ認証を得、前記健康管理情報提供装置から送信される生体情報を記憶した前記健康管理情報仲介装置が前記記憶した生体情報に基づいて生成した健康管理情報を受信して利用者に閲覧させる第４のステップと、
を有することを特徴とする健康管理情報の閲覧方法。
【請求項８】
コンピュータ上で実行され、生体情報取得装置とは近距離無線通信経由で接続され、健康管理情報提供装置とは通信網経由で接続される生体情報管理装置の生体情報管理プログラムであって、
前記生体情報取得装置から前記近距離無線通信による利用者認証を得て測定される利用者の生体情報を受信する生体情報受信処理と、
前記受信した生体情報を前記通信網経由で前記健康管理情報提供装置に送信し、前記健康管理情報提供装置から、前記生体情報を分析することにより加工され送信される健康管理情報を受信し、出力する制御処理と
をコンピュータに実行させ、
前記制御処理は、
前記通信網を介して更に接続される健康管理情報仲介装置から近距離無線通信による利用者認証を得、前記健康管理情報仲介装置が前記健康管理情報提供装置から送信される生体情報を記憶し、前記記憶した生体情報に基づいて生成した健康管理情報を受信し、出力することを特徴とする生体情報管理プログラム。
【請求項９】
前記制御処理は、
前記健康管理情報仲介装置から近距離無線通信による利用者認証を得、前記健康管理情報提供装置から送信される健康管理情報を前記健康管理情報仲介装置経由で受信し、出力することを特徴とする請求項８記載の生体情報管理プログラム。
【請求項１０】
前記制御処理は、
受信した利用者の現在位置情報から位置測位演算を行い、前記取得した生体情報と関連付け、前記通信網経由で前記健康管理情報提供装置に送信することを特徴とする請求項８または請求項９記載の生体情報管理プログラム。
【請求項１１】
前記制御処理は、
前記健康管理情報提供装置または前記健康管理情報仲介装置から送信される健康管理情報を画面の少なくとも一部に表示する表示情報を生成して出力することを特徴とする請求項８から請求項１０のいずれか１項記載の生体情報管理プログラム。
【発明の詳細な説明】
【技術分野】
【０００１】
本発明は、例えば、携帯通信端末を用いて利用者の健康管理を行う、生体情報管理装置、生体情報管理装置を用いた健康管理システム、同システムにおける健康管理情報の閲覧方法、生体情報管理プログラムに関する。
【背景技術】
【０００２】
体温、脈拍、体重、体脂肪等の生体情報は、これまで、利用者が市販の測定用健康器具により計測することにより取得し、利用者自身が取得した生体情報に基づいて健康管理を行っていた。しかしながら、このような方法による健康管理は利用者の意識によるところが大きく、定常的に健康状態を把握するための手段としては必ずしも十分なもとのはいえなかった。
【０００３】
このため、例えば、特許文献１では、利用者が、衛生洗浄装置に組み込まれた生体情報測定装置で測定した生体情報や健康情報を医療機関等に送り、これを受けた医療機関では、収集された情報を基に健康アドバイス情報を作成し利用者に伝達する健康管理支援システムが提案されている。
【先行技術文献】
【特許文献】
【０００４】
【特許文献１】特開２００４−１３５０８号公報
【発明の概要】
【発明が解決しようとする課題】
【０００５】
上述した特許文献１に開示された技術によれば、衛生洗浄装置に組み込まれたセンサと医療機関に設置されたサーバとの間を携帯電話が仲介し、利用者がセンサ測定情報を手動で入力することにより医療機関のサーバに送ってアドバイス情報を取得する仕組みになっている。しかし、特許文献１には、赤外線等の無線通信手段で測定情報の手入力を自動化できることの記載はあるが、その場合のセキュリティを含む医療機関との間の通信手順については明示されていない。
【０００６】
また、特許文献１に開示された技術は、利用者の外出時における生体情報の管理まで行き届いたものではない。
【０００７】
例えば、フィットネスクラブ、レストラン、スーパー、コンビニ、病院等のような施設でも利用者が同サービスを享受できれば日常生活に密着して一層充実した健康管理が可能であり、また、利用者の使い勝手が向上する。
（発明の目的）
本発明の目的は、利用者の日常生活に密着した一層充実した健康管理を可能とし、かつ、利用者が意識することなく健康管理ができる使い勝手の向上した、生体情報管理装置、生体情報管理装置を用いた健康管理システム、同システムにおける健康管理情報の閲覧方法、生体情報管理プログラムを提供することにある。
【課題を解決するための手段】
【０００８】
本発明の第１の生体情報管理装置は、生体情報取得装置と近距離無線通信経由で接続され、健康管理情報提供装置と通信網経由で接続され、生体情報取得装置から近距離無線通信による利用者認証を得て測定される利用者の生体情報を受信するとともに、受信した生体情報を通信網経由で健康管理情報提供装置に送信し、健康管理情報提供装置から、生体情報に基づく分析により加工され送信される健康管理情報を受信し、出力する制御手段、を含む。
【０００９】
本発明の第２の健康管理システムは、生体情報取得装置と、生体情報取得装置から近距離無線通信によるユーザ認証を得、測定されるユーザの生体情報を受信する生体情報管理装置と、生体情報管理装置と通信網経由で接続され、生体情報管理装置から送信される生体情報を受信し、加工して健康管理情報を生成し、要求のあった生体情報管理装置に送信する健康管理情報提供装置と、を含む。
【００１０】
本発明の第３の健康管理システムにおける健康管理情報の閲覧方法は、生体情報取得装置と、健康管理情報提供装置と、生体情報取得装置と近距離無線通信により接続され、健康管理情報提供装置と通信網経由で接続される生体情報管理装置と、を備えた健康管理システムにおける健康管理情報の閲覧方法であって、生体情報管理装置が、生体情報取得装置から近距離無線通信によるユーザ認証を得て測定される利用者の生体情報を受信する第１のステップと、生体情報管理装置が、受信した生体情報を通信網経由で健康管理情報提供装置に送信する第２のステップと、健康管理情報提供装置が、生体情報管理装置から受信した生体情報を分析により加工し、生成される健康管理情報を生体情報管理装置または管理情報提供仲介装置に送信する第３のステップと、生体情報管理装置が、健康管理情報提供装置から送信される健康管理情報を受信して利用者に閲覧させるか、健康管理情報仲介装置から近距離無線通信によるユーザ認証を得、健康管理情報仲介装置から送信される健康管理情報を受信して利用者に閲覧させる第４のステップと、を含む。
【００１１】
本発明の第４の生体情報管理プログラムは、コンピュータ上で実行され、生体情報取得装置と近距離無線通信経由で接続され、健康管理情報提供装置と通信網経由で接続される生体情報管理装置の生体情報管理プログラムであって、生体情報取得装置から近距離無線通信による利用者認証を得て測定される利用者の生体情報を受信する生体情報受信処理と、受信した生体情報を通信網経由で健康管理情報提供装置に送信し、健康管理情報提供装置から、生体情報を分析することにより加工され送信される健康管理情報を受信し、出力する制御処理と、をコンピュータに実行させる。
【発明の効果】
【００１２】
本発明によれば、利用者の日常生活に密着して一層充実した健康管理を可能とし、かつ、利用者が意識することなく健康管理ができる使い勝手の向上した、生体情報管理装置、生体情報管理装置を用いた健康管理システム、同システムにおける健康管理情報の閲覧方法、生体情報管理プログラムを提供することができる。
【００１３】
その理由は、制御手段が、生体情報取得装置から近距離無線通信による利用者認証を得て測定される利用者の生体情報を受信して通信網経由で健康管理情報提供装置に送信し、健康管理情報提供装置から生体情報に基づく分析により加工され送信される健康管理情報を受信して出力するからである。
【図面の簡単な説明】
【００１４】
【図１】本発明の実施の形態による健康管理システムの構成、およびデータの流れを示す図である。
【図２】本発明の実施の形態による健康管理システムの動作シーケンスを示す図である。
【図３】本発明の実施の形態による健康管理システムの生体情報取得装置の内部構成を示すブロック図である。
【図４】本発明の実施の形態による生体情報管理装置の内部構成を示すブロック図である。
【図５】本発明の実施の形態による健康管理システムの健康管理情報提供装置の構成を示すブロック図である。
【図６】本発明の実施の形態による健康管理システムの健康管理情報仲介装置の内部構成を示すブロック図である。
【図７】本発明の実施の形態による生体情報管理装置の動作を示すフローチャートである。
【図８】本発明の実施の形態による健康管理システムの健康管理情報提供装置の動作を示すフローチャートである。
【発明を実施するための形態】
【００１５】
次に、本発明の実施の形態について図面を参照して詳細に説明する。
（第１の実施の形態の構成）
図１は、本発明の第１の実施の形態による健康管理システム１の構成を示すブロック図である。
【００１６】
図１を参照すると、本発明の第１の実施の形態による健康管理システム１は、生体情報取得装置１０Ａ、１０Ｂと、本発明の生体情報管理装置として使用される携帯通信端末２０と、健康管理情報提供装置として使用される健康管理情報提供サーバ３０と、を含む構成になっている。
【００１７】
上述した携帯通信端末２０と、健康管理情報提供サーバ３０は、ＩＰ（Internet Protocol）ネットワーク等の通信網５０経由で接続される。なお、通信網３０には、更に、健康管理情報仲介装置として使用される、例えば、ＰＣ（Personal
Computer）相当の健康管理情報仲介端末４０が接続されてもよい。
【００１８】
生体情報取得装置１０Ａ、１０Ｂは、例えば、家庭内の生活空間に設置されてあるトイレや浴室（浴槽）等に埋め込まれた各種センサ類により測定される利用者の、体温、脈拍、体重、体脂肪、尿成分等の生体情報を取得する機能と、利用者が携帯通信端末２０をかざして利用者認証が成立したときに近距離無線通信によりその測定された生体情報を携帯通信端末２０へ送信する機能を有する。
【００１９】
生体情報取得時、利用者により携行される携帯通信端末２０は、生体情報取得装置１０Ａ、１０Ｂから近距離無線通信によるユーザ認証を得、測定されるユーザの生体情報を受信し、通信網５０経由で健康管理情報提供サーバ３０へ送信する機能と、健康管理情報提供サーバ、もしくは健康管理情報仲介端末４０からその生体情報に基づいて分析され、加工されて生成される健康管理情報を取得する機能を有する。
【００２０】
健康管理情報提供サーバ３０は、例えば、医療機関を含むサービス提供プロバイダによって管理、運営される。この健康管理情報提供サーバ３０は、契約済みの利用者が携行する携帯通信端末２０から送信される利用者の生体情報を受信し、分析加工することにより、健康管理情報（例えば、生体情報に応じた生活改善プログラム情報（食事、運動等に対するリコメンド情報）等）を生成して要求のあった携帯通信端末２０、あるいは健康管理情報仲介端末４０へ送信する機能を有する。
【００２１】
また、健康管理情報仲介端末４０は、例えば、フィットネスクラブ、レストラン、スーパー、コンビニ、病院等に設置される。この健康管理情報仲介端末４０は、近距離無線通信による携帯通信端末２０からの利用者認証成立後、健康管理情報提供サーバ３０から通信網５０経由で送信される生体情報に基づく健康管理情報を仲介し、要求のあった携帯通信端末２０に送信する機能を有する。
【００２２】
以下、図２に示す動作シーケンス図を参照しながら、図１に示す健康管理システム１のデータの流れについて説明する。
【００２３】
図２を参照すると、利用者は、家庭内において、浴槽やトイレ使用時、携帯通信端末２０を生体情報取得装置１０Ａ、１０Ｂにかざすことにより両者の間で近距離無線通信を行なう。その結果、携帯通信端末２０は、生体情報取得装置１０から利用者認証を得ることにより自身の生体情報を取得し、内蔵のメモリに書き込む（ステップＳ２０１、Ｓ２０２）。このとき、携帯通信端末２０は、通信網５０経由で健康管理情報提供サーバ３０にアクセスし、先に取得した自身の生体情報を送信する（ステップＳ２０３）。なお、このとき、測定した生体情報に利用者の位置情報も関連付けて送信しても良い。
【００２４】
これを受け、健康管理情報提供サーバ３０は、利用者の生体情報が所定量蓄積されたことを契機に、あるいは利用者からの要求に基づき、蓄積された利用者の生体情報を分析し、加工することにより、例えば、上述した生活改善プログラム等の健康管理情報を生成して利用者の携帯通信端末２０に送信する（ステップＳ２０４）。このため、利用者は、携行している携帯通信端末２０の画面に表示されるこれら情報を閲覧することができる。
【００２５】
また、利用者は、外出時、例えば、フィットネスクラブ等においても同様のサービスを享受できる。この場合、フィットネスクラブに設置された健康管理情報仲介端末４０に携帯通信端末２０をかざすことで近距離無線通信を行い、利用者認証を得る必要がある（ステップＳ２０５）。利用者認証が成立すると、健康管理情報仲介端末４０は、健康管理情報提供サーバ３０にアクセスし（ステップＳ２０６）、健康管理情報提供サーバ３０から提供される利用者の蓄積済みの生体情報、もしくは生成された生活改善プログラム等の健康管理情報を取得する（ステップＳ２０７）。そして、健康管理情報仲介端末４０は、取得した健康管理情報を要求のあった携帯通信端末２０に送信するか、取得した生体情報に基づいてフィットネスクラブが独自に分析して作成したフィットネスによる健康増進プラン等を送信する（ステップＳ２０８）。
【００２６】
なお、健康管理情報仲介端末４０は、利用者の一定期間における生体情報の写しを持っていれば、その都度、健康管理情報提供サーバ３０と通信して生体情報を取得する必要がないため、利用者が閲覧可能な健康管理情報を迅速に提供できる。このとき、フィットネスクラブと健康管理情報を提供するプロバイダとの間で利用者の承認のもとに健康管理情報を公開するための取り決めが必要になる。また、利用者の承認によりフィットネスクラブのトレーナに閲覧許可を与えることにより、フィットネスの観点からの健康増進についての助言が効率的に得られる。
【００２７】
次に、本実施の形態に係る健康管理システム１を構成する各装置について、図３〜図６を参照しながら詳細説明を行う。図３は、生体情報取得装置１０Ａ、図４は、携帯通信端末２０、図５は、健康管理情報提供サーバ３０、図６は、健康管理情報仲介端末４０の、それぞれの構成を示す。
【００２８】
図３を参照すると、生体情報取得装置１０Ａは、制御部１１と、センサ１２と、近距離無線通信部１３と、記憶部１４とを含む。生体情報取得装置１０Ｂも同様の構成を有する。
【００２９】
センサ１２は、体温、脈拍、体重、体脂肪、尿成分等の利用者の生体情報を感知して制御部１１に出力する。
【００３０】
近距離無線通信部１３は、電磁波を生成して後述する携帯通信端末２０の近距離無線通信部２３との間で近距離無線通信を行う。近距離無線通信部１３は、内部的には、変復調部と、コイルおよびコンデンサで構成された共振回路部とを含み、共振周波数により生成される電磁波を変復調し、携帯通信端末２０との間で非接触通信を行う。近距離無線通信部１３は、非接触通信が出来ればよく、例えば、ブルートゥース（登録商標）として知られている無線通信技術、無線ＬＡＮ（Local Area Network）あるいは、ＲＦＩＣ（Radio Frequency IC）等による無線通信を行うものでもよい。
【００３１】
ここでは、市販の携帯通信端末２０に内蔵されたＲＦＩＣによる近距離無線通信を利用するものとし、このため、生体情報取得装置１０Ａの近距離無線通信部１３にはリーダ／ライタが内蔵されるものとする。
【００３２】
制御部１１は、マイクロプロセッサにより構成され、図３には、このマイクロプロセッサが実行するプログラムの構造が機能展開されて示されている。図示のように、制御部１１は、利用者認証部１１１と、生体情報取得送信部１１２とを含む。
【００３３】
利用者認証部１１１は、携帯通信端末２０と近距離無線通信部１３を介して近距離無線通信を行うことにより携帯通信端末２０内蔵のＲＦＩＣに記録されている識別情報（利用者に固有の情報）を認識するものである。ここで、読み取られた識別情報が記憶部１４に予め登録済みの識別情報である場合に限り、生体情報取得送信部１１２が起動され、この生体情報取得送信部１１２によりセンサ１２による生体情報の測定が開始され、測定された生体情報が近距離無線通信部１３（リーダライタ）を介して携帯通信端末２０に送信され、書き込まれる。なお、測定した生体情報は記憶部１４にも記録される。
【００３４】
図４を参照すると、携帯通信端末２０は、制御部２１と、通信部２２と、近距離無線通信部２３と、ＧＰＳ（Global Positioning System）受信部２４と、操作部２５と、表示部２６と、音声ＣＯＤＥＣ（Coder Decoder）部２７とを含む。
【００３５】
通信部２２は、無線通信システムを捕捉し、通信網５０に接続される基地局（不図示）との間で無線通信を行い、各種データの送受信を行う。ここで各種データとは、主に音声通話時の音声データ、メール送受信時のメールデータ、ウェブ閲覧時のページデータ等であり、利用者の生体情報も含む。
【００３６】
近距離無線通信部２３は、生体情報取得装置１０Ａ、１０Ｂの近距離無線通信部１３と同じであるため、説明の重複を回避する意味でここでは述べない。ＧＰＳ受信部２４は、ＧＰＳ衛星から受信される、緯度、経度、時間に関する携帯通信端末１の現在位置情報を制御部２１に出力する。この現在位置情報は、制御部２１で実行される利用者の行動追跡のための現在位置測位のための情報として使用される。
【００３７】
操作部２５は、例えば、電源キー、通話キー、数字キー、文字キー、方向キー、決定キー、発信キー、ファンクションキーなど、各種の機能が割り当てられたキーを有しており、これらのキーがユーザによって操作された場合に、その操作内容に対応する信号を発生し、これをユーザの指示として制御部２１に出力する。
【００３８】
表示部２６は、多数の画素（複数色の発光素子の組み合わせ）を縦横に配して構成される、例えばＬＣＤ（Liquid Crystal Display Device）や有機ＥＬ（Electro-Luminescence）を用いて構成される。表示部２６は、制御部２１により生成されて、記憶部２８の所定の領域（ＶＲＡＭ領域）に書き込まれた文書等の表示対象データに応じた画像を表示する。
【００３９】
音声ＣＯＤＥＣ部２７は、スピーカから出力される音声信号やマイクロフォンにおいて入力される音声信号の入出力処理を行う。すなわち、音声ＣＯＤＥＣ部２７は、マイクロフォンから入力された音声を増幅し、アナログ−デジタル変換を行い、更に符号化等の信号処理を施し、デジタルの音声データに変換して制御部２１に出力する。また、音声ＣＯＤＥＣ部２７は、制御部２１から供給される音声データに復号化、デジタル−アナログ変換、増幅等の信号処理を施し、アナログの音声信号に変換してスピーカに出力する。
【００４０】
記憶部２８は、携帯通信端末２０の各種処理に利用される各種データを記憶する。例えば、制御部２１が実行するコンピュータのプログラム、各種設定データ、プログラムの処理過程で利用される一時的なデータが記憶される。ここでは、更に、生体情報取得装置１０Ａ、１０Ｂから送信される利用者の生体情報も記憶部２８に記憶される。なお、記憶部２８は、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００４１】
なお、制御部２１は、携帯通信端末２０の全体的な動作を統括的に制御する。すなわち、携帯通信端末２０の各種処理（回線交換網を介して行われる音声通話、電子メールの作成と送受信、インターネットのＷｅｂ（World Wide Web）サイトの閲覧など）が操作部２５の操作に応じて適切な手順で実行されるように、上述した各制御ブロックの動作（通信部２２における信号の送受信、近距離無線通信部２３との間の情報転送、ＧＰＳ受信部２４からの現在位置情報の取得、操作部２５からの操作入力の取り込み、表示部２６における画像の表示、音声ＣＯＤＥＣ部２７における音声入出力等）を制御する。
【００４２】
制御部２１は、記憶部２６に格納されたプログラム（オペレーティングシステムやアプリケーションプログラム等）に基づいて処理を実行するコンピュータ（マイクロプロセッサ）を備えており、これらプログラムにおいて指示された手順に従って上述した処理を実行する。すなわち、制御部２１は、記憶部２８に格納されるオペレーティングシステムやアプリケーションプログラム等のプログラムから命令コードを順次読み込んで処理を実行する。
【００４３】
制御部２１はまた、生体情報取得装置１０Ａ、１０Ｂから近距離無線通信による利用者認証を得て測定される利用者の生体情報を受信して記憶するとともに、受信した生体情報を通信網５０経由で健康管理情報提供サーバ３０に送信し、健康管理情報提供サーバ３０から、生体情報に基づく分析により加工生成され送信される健康管理情報を受信し、出力する制御手段としても機能する。
【００４４】
上述した制御手段としての機能を実現するために、図４に制御部２１が実行するプログラムの構造が機能展開され示されているように、制御部２１は、主制御部２１０と、生体情報取得部２１１と、生体情報送受信部２１２と、位置測位演算部２１３と、表示情報生成部２１４とを含む。
【００４５】
生体情報取得部２１１は、近距離無線通信部２３を介して受信した生体情報を取得して記憶部２８に書き込む機能を有する。生体情報送受信部２１２は、取得した生体情報を、主制御部２１０、通信部２２、通信網５０経由で健康管理情報提供サーバ３０に送信する機能と、健康管理情報提供サーバ３０から、生体情報に基づく分析により加工され送信される健康管理情報を受信して表示情報生成部２１４による表示情報生成処理を起動する機能を有する。生体情報送受信部２１２は、通信網５０を介して更に接続される健康管理情報仲介端末４０から近距離無線通信による利用者認証を得、健康管理情報提供サーバ３０から送信される健康管理情報を健康管理情報仲介端末４０経由で受信して出力する機能も合わせ持つ。
【００４６】
位置測位演算部２１３は、ＧＰＳ受信部２４で受信した利用者の現在位置情報から位置測位演算を行い主制御部２１０に転送する機能を有する。これをうけ主制御部２１０は、測位演算の結果と先に取得した生体情報と関連付け、通信網５０経由で健康管理情報提供サーバ３０に送信する。表示情報生成部２１４は、健康管理情報提供サーバ３０または健康管理情報仲介端末４０から送信される健康管理情報を表示部２６の画面の少なくとも一部に表示する表示情報を生成して出力する機能を有する。
【００４７】
なお、主制御部２１０は、制御部２１が、生体情報取得装置１０Ａ、１０Ｂから近距離無線通信による利用者認証を得て測定される利用者の生体情報を受信するとともに、受信した生体情報を通信網５０経由で健康管理情報提供サーバ３０に送信し、健康管理情報提供サーバ３０から、生体情報に基づく分析により加工され送信される健康管理情報を受信し、出力する制御手段として機能するために、上述した生体情報取得部２１１と、生体情報送受信部２１２と、位置測位演算部２１３と、表示情報生成部２１４のシーケンス制御を行う。
【００４８】
図５を参照すると、健康管理情報提供サーバ３０は、ＣＰＵ（Central Processing Unit）と主メモリを含む制御部３１と、通信制御部３２と、大容量外部メモリ３３と、表示入力装置（ＫＢ／ＣＲＴ３４）とから構成される。これらは、いずれも、アドレス、データ、コントロールのためのラインが複数本で構成されるシステムバス３５経由で共通に接続される。
【００４９】
制御部３１は、携帯通信端末２０から通信網５０経由で送信される利用者の生体情報を通信制御部３２経由で取得し、大容量外部メモリ４４に蓄積する。また、制御部３１は、逐一、または生体情報が大容量外部メモリ３３に一定量蓄積された場合、あるいは、携帯通信端末２０からの要求に基づき、その生体情報を分析し、加工して生活改善プログラム等の健康管理情報を生成し、携帯通信端末２０へ、通信制御部３２、通信網５０経由で送信する。また、制御部３１は、健康管理情報仲介端末４０から利用者認証のもとで送信される生体情報参照要求に基づき、大容量外部メモリ３３に蓄積してある利用者の生体情報、もしくは生活改善プログラム等の健康管理情報を、システムバス３５、通信制御部４２、通信網５０経由で健康管理情報仲介端末４０に送信する。
【００５０】
通信制御部３２は、例えば、ＴＣＰ／ＩＰ（Transmission Control／Internet Protocol）等のプロトコルにしたがい、携帯通信端末２０、あるいは健康管理情報仲介端末４０との通信により生体情報を含む健康管理情報の送受信を行う。大容量外部メモリ３３は、利用者の生体情報を蓄積するＨＤＤや光ディスク等の等の大容量記憶素子で構成され、表示入力装置（ＫＢ／ＣＲＴ３４）は、生活改善ブログラム等の健康管理情報作成時の編集の際に使用される。
【００５１】
図６を参照すると、健康管理情報仲介端末４０は、ＣＰＵと主メモリを含む制御部４１と、通信制御部４２と、近距離無線通信部４３と、外部メモリ４４と、ＬＣＤタッチパネル４５とから構成される。これらは、いずれも、アドレス、データ、コントロールのためのラインが複数本で構成されるシステムバス４６経由で共通に接続される。
【００５２】
制御部４１は、近距離無線通信部４３を用いた近距離無線通信による携帯通信端末２０からの利用者認証成立時、健康管理情報提供サーバ３０から送信される利用者の生体情報に基づく健康管理情報を、通信網５０、通信制御部４２経由で受信し、システムバス４６、近距離無線通信部４３を介して要求先の携帯通信端末２０に送信する。
【００５３】
通信制御部４２は、例えば、ＴＣＰ／ＩＰに基づき健康管理情報提供サーバ３０との通信により生体情報を含む健康管理情報の送受信を行う。外部メモリ４４は、健康管理情報提供サーバ３０から受信した利用者の生体情報あるいは健康管理情報を蓄積するＨＤＤ等の記憶素子で構成され、ＬＣＤタッチパネル４５は、独自のサービスを提供する際の健康管理情報作成時の編集に使用される。
（第１の実施の形態の動作）
以下、図７、図８のフローチャートを参照しながら第１の実施の形態による携帯通信端末２０、および健康管理情報提供サーバ３０の動作につき、それぞれ詳細に説明する。
【００５４】
図７は、携帯通信端末２０の処理の流れを示すフローチャートである。図７を参照すると、利用者が、トイレや浴槽に入るときに、携帯通信端末２０を生体情報取得装置１０にかざすと、生体情報取得装置１０と携帯通信端末２０との間で通信リンクを確立する（ステップＳ７０１）。そして、ＲＦＩＣを使用した近距離無線通信による利用者認証を行う（ステップＳ７０２）。具体的には、携帯通信端末２０内蔵のＲＦＩＣ（近距離無線通信部２３）に記録された利用者の識別情報は、生体情報取得装置１０のリーダ／ライタ（近距離無線通信部１３）により読み出され、生体情報取得装置１０の記憶部１４に格納された利用者の識別情報との照合が行われる。
【００５５】
上述した照合の結果、識別情報が一致して利用者認証部１１１による利用者認証が成立すると（ステップＳ７０２“ＹＥＳ”）、利用者がトイレや浴槽に入った状態でセンサ１２により自動的に利用者の生体情報（排泄物・体温・体重・肌の色・むくみ状態等々）が感知される。その生体情報は、生体情報取得装置１０の近距離無線通信部１３と、携帯通信端末２０の近距離無線通信部２３との間で行われる近距離無線通信により、制御部２１による制御の下で携帯通信端末２０の記憶部２８に書き込まれる（ステップＳ７０３）。
【００５６】
携帯通信端末２０の制御部２１は、健康管理情報提供サーバ３０にログインし、単に生体情報の蓄積のみを希望する場合は（ステップＳ７０４“蓄積”）、生体情報送受信部２１２が先に取得した利用者の生体情報を健康管理情報提供サーバ３０へ送信する（ステップＳ７０５）。一方、分析結果の送信を希望する場合は（ステップＳ７０４“プログラム”）、利用者が操作部２５を操作してプログラムを選択し、必要事項を入力のうえ（ステップＳ７０６）、健康管理情報提供サーバ３０からのプログラムを含む分析結果の送信を待つ（ステップＳ７０７）。
【００５７】
健康管理情報提供サーバ３０から分析結果を含む生活改善プログラム等の健康管理情報が送信されると（ステップＳ７０７“ＹＥＳ”）、携帯通信端末２０は、通信網５０、通信部２２経由で制御部２１の生体情報送受信部２１２がこれを取得し、表示情報生成部２１４が取得した分析結果が示す健康管理情報に基づき表示情報を生成して表示部２６に表示する（ステップＳ７０８）。これにより、利用者は、計測した生体情報に基づく健康状態の分析結果の閲覧が可能になる。なお、ここでは、健康管理情報提供サーバ３０は、利用者が分析結果の送信を希望する場合に一定量蓄積された利用者の生態情報を分析して健康管理情報を送信する形態について説明したが、生体情報を受信する都度、その内容を分析し、例えば、脈拍、血圧異常等の分析結果を送信してもよい。
【００５８】
図８は、健康管理情報提供サーバ３０の処理の流れを示すフローチャートである。図８を参照すると、健康管理情報提供サーバ３０は、携帯通信端末２０、もしくは健康管理情報仲介装置４０がログインすると（ステップＳ８０１）、利用者認証を行う。ここで、利用者認証が成立すると（ステップＳ８０２“ＹＥＳ”）、利用者によるログインの場合（ステップＳ８０３“利用者”）、制御部３１は、送信される生体情報を大容量外部メモリ３３に蓄積する（ステップＳ８０４）。そして、制御部３１は、逐次、または所定量蓄積したことにより、あるいは利用者の要求に基づき、今現在における健康状態を分析し（ステップＳ８０５）、理想の健康状態とを照合することによって最適な生活プログラムあるいは、生活改善プログラム等の健康管理情報を生成し、要求のあった携帯通信端末２０に送信する（ステップＳ８０６）。
【００５９】
一方、健康管理情報仲介端末４０からのログインであった場合（ステップＳ８０３“サービス”）、すなわち、利用者が健康管理情報仲介端末４０に携帯通信端末２０をかざして利用者認証を行い、成立すると、健康管理情報提供サーバ３０の制御部３１は、該当利用者の生体情報を大容量外部メモリ３３から読み出し（ステップＳ８０７）、要求に基づく利用者の生体情報、もしくは分析により加工され生成済みのプログラムを送信する（ステップＳ８０８）。
【００６０】
生体情報、もしくは分析の結果生成される生活改善プログラム等の健康管理情報を受信した健康管理情報仲介端末４０は、その情報を近距離無線通信部４３経由で利用者の携帯通信端末２０に送信する。これを受信した携帯通信端末２０は、受信した情報を、表示部２６に表示するか、音声ＣＯＤＥＣ部２７によりスピーカを介して音声出力する。なお、健康管理情報仲介端末４０は、健康管理情報提供サーバ３０から受信した利用者の生体情報を独自に解析し、健康状態の良し悪しを判定するとともに、改善が必要な場合は、食事、運動等において、利用者に最適な行動項目を抽出して独自のフィットネスプログラムを作成し、近距離無線通信により携帯通信端末２０に送信することも可能である。
【００６１】
なお、上述した第１の実施の形態によれば、健康管理情報仲介端末４０は、フィットネスクラブに設置された例のみを示したが、フィットネスクラブの他に、レストラン、スーパー、コンビニ、病院等に設置されてもよい。この場合、生体情報を使用した分野毎の独自のサービス提供が可能である。また、生体情報の取得は、自宅にあるトイレ、浴槽に限定されるものではなく、外出先のトイレ、あるいは浴槽等に埋め込まれたセンサと連動させるようにしても良い。
（第１の実施の形態による効果）
本実施の形態による生体情報管理装置（携帯通信端末２０）では、制御部２１が、生体情報取得装置１０Ａ（１０Ｂ）から近距離無線通信による利用者認証を得て測定される利用者の生体情報を受信するとともに、受信した生体情報を通信網５０経由で健康管理情報提供サーバ３０に送信し、健康管理情報提供サーバ３０から、生体情報に基づく分析により加工され送信される健康管理情報を受信し、出力することにより、利用者の日常生活に密着して一層充実した健康管理を可能とし、かつその際に利用者が意識することなく健康管理ができ、使い勝手の向上が実現できる。
【００６２】
また、第１の実施の形態による健康管理システム１では、健康管理システム１を、生体情報取得装置１０Ａ、１０Ｂと、生体情報取得装置１０Ａ、１０Ｂから近距離無線通信によるユーザ認証を得、測定されるユーザの生体情報を受信する生体情報管理装置（携帯通信端末２０）と、生体情報管理装置とは通信網５０経由で接続され、生体情報管理装置から送信される生体情報を受信し、加工して健康管理情報を生成し、要求のあった生体情報管理装置に送信する健康管理情報提供装置（健康管理情報提供サーバ３０）とでシステム構築することにより、利用者の日常生活に密着して一層充実した健康管理を可能とし、かつ利用者が意識することなく健康管理ができ、使い勝手の向上が実現できる。
【００６３】
その理由は、生体情報管理装置（携帯通信端末２０）が、生体情報取得装置１０Ａ、１０Ｂから近距離無線通信による利用者認証を得て測定される利用者の生体情報を受信して通信網経５０由で健康管理情報提供サーバ３０に自動送信し、健康管理情報提供サーバ３０から生体情報に基づく分析により加工され送信される健康管理情報を受信して自動で出力するからである。
【００６４】
また、第１の実施の形態による健康管理システム１では、フィットネス、レストラン、ショップ等への外出時においても本健康管理情報提供サービスと連動することで利用者の健康管理が一層充実したものになる。また、測位演算により得られる利用者の位置情報を生体情報と関連付けて管理することにより、利用者の健康管理を目的とした行動追跡、および安否確認も可能になる。
【００６５】
なお、図４の携帯通信端末３０の制御部２１が有する機能は、全てをソフトウェアによって実現しても、あるいはその少なくとも一部をハードウェアで実現してもよい。例えば、制御部２１が、生体情報取得装置１０Ａ（１０Ｂ）から近距離無線通信による利用者認証を得て測定される利用者の生体情報を受信するとともに、受信した生体情報を通信網５０経由で健康管理情報提供サーバ３０に送信し、健康管理情報提供サーバ３０から、生体情報に基づく分析により加工され送信される健康管理情報を受信し、出力するデータ処理は、１または複数のプログラムによりコンピュータ上で実現してもよく、また、その少なくとも一部をハードウェアで実現してもよい。
【００６６】
以上好ましい実施の形態と実施例をあげて本発明を説明したが、本発明は必ずしも、上述実施の形態及び実施例に限定されるものでなく、その技術的思想の範囲内において様々に変形して実施することができる。
【００６７】
この出願は、２００９年５月２１日に出願された日本出願特願２００９−１２３４９８を基礎とする優先権を主張し、その開示の全てをここに取り込む。
【図１】
2014078279.tif 000003
【図２】
2014078279.tif 000004
【図３】
2014078279.tif 000005
【図４】
2014078279.tif 000006
【図５】
2014078279.tif 000007
【図６】
2014078279.tif 000008
【図７】
2014078279.tif 000009
【図８】
2014078279.tif 000010